(57)【要約】【課題】流し読み時の原稿読取位置を適切に設定する。【解決手段】流し読み位置近傍の背景体を読取ることにより、プラテンローラ近傍に配置された白色シート部材の先端を検出し、流し読み時の読取位置を設定する。【選択図】　　　図３
2004023276.tif 000002
【特許請求の範囲】
【請求項１】
原稿を光学的に走査する光走査手段と、
前記光走査手段の位置を移動させる移動手段と、
前記光走査手段により得られた光学像を光電変換する光電変換手段と、
前記原稿を搬送するプラテンローラと、
前記プラテンローラと近接して配置されたシート部材と、
前記移動手段により前記光走査手段の位置を移動させながら前記シート部材を走査し、前記光電変換手段により読取ることで前記シート部材の端部位置を検出する検出手段と、
前記光走査手段を停止させた状態で前記プラテンローラにより搬送される前記原稿を前記光電変換手段により読取る場合の前記光走査手段の停止位置を、前記検出手段の検出結果に基づいて設定する設定手段と、
を備えたことを特徴とする画像読取装置。
【請求項２】
前記シート部材は、ポリエステルフィルムであることを特徴とする請求項１に記載の画像読取装置。
【請求項３】
前記シート部材は、前記プラテンローラによる原稿搬送方向の上流側に配置されることを特徴とする請求項１又は２に記載の画像読取装置。
【請求項４】
前記設定手段は、前記検出手段により検出された前記シート部材の端部位置から所定距離だけ離れた位置を前記光走査手段の停止位置として設定することを特徴とする請求項１乃至３のいずれか１項に記載の画像読取装置。
【請求項５】
前記検出手段は、前記光走査手段により前記プラテンローラ及び前記シート部材を走査し、前記光電変換手段により読取ることで得られたデータを所定の閾値と比較することで、前記シート部材の端部位置を検出することを特徴とする請求項１乃至４のいずれか１項に記載の画像読取装置。
【請求項６】
原稿を光学的に走査する光走査手段と、前記光走査手段の位置を移動させる移動手段と、前記光走査手段により得られた光学像を光電変換する光電変換手段と、前記原稿を搬送するプラテンローラと、前記プラテンローラと近接して配置されたシート部材とを備えた画像読取装置を制御するための制御プログラムであって、
前記移動手段により前記光走査手段の位置を移動させながら前記シート部材を走査し、前記光電変換手段により読取ることで前記シート部材の端部を検出する検出ステップと、
前記光走査手段を停止させた状態で前記プラテンローラにより搬送される前記原稿を前記光電変換手段により読取る場合の前記光走査手段の停止位置を、前記検出手段の検出結果に基づいて設定する設定ステップと、
を有することを特徴とする制御プログラム。
【請求項７】
前記シート部材は、ポリエステルフィルムであることを特徴とする請求項６に記載の制御プログラム。
【請求項８】
前記シート部材は、前記プラテンローラによる原稿搬送方向の上流側に配置されることを特徴とする請求項６又は７に記載の制御プログラム。
【請求項９】
前記設定ステップでは、前記検出ステップにおいて検出された前記シート部材の端部位置から所定距離だけ離れた位置を前記光走査手段の停止位置として設定することを特徴とする請求項６乃至８のいずれか１項に記載の制御プログラム。
【請求項１０】
前記検出ステップでは、前記光走査手段により前記プラテンローラ及び前記シート部材を走査し、前記光電変換手段により読取ることで得られたデータを所定の閾値と比較することで、前記シート部材の端部位置を検出することを特徴とする請求項６乃至９のいずれか１項に記載の制御プログラム。
【発明の詳細な説明】
【０００１】
【発明の属する技術分野】
本発明は、複写機、スキャナ、ファクシミリ装置等の画像読取装置及びその制御プログラムに関し、特に、光走査部を停止させた状態で原稿を移動させながら原稿を読取る場合の原稿読取装置、すなわち光走査部の停止位置の設定技術に関する。
【０００２】
【従来の技術】
従来、複写機、スキャナ、ファクシミリ等の画像読取装置において、原稿に光を照射する光走査部を所定の原稿読取位置に停止させた状態で、自動原稿給送装置（ＡＤＦ：Ａｕｔｏ　Ｄｏｃｕｍｅｎｔ　Ｆｅｅｄｅｒ）により原稿を移動させながら原稿（原稿情報、原稿画像）を読取る所謂、流し読み機能を備えた装置が知られている。このＡＤＦは、一般にオプションで提供され、原稿読取装置本体に対して、着脱可能に構成されている。
【０００３】
この種の画像読取装置では、ＡＤＦと原稿読取装置本体における原稿読取位置との位置関係はＡＤＦの取り付け位置や各構成部品のバラツキ等により、目標としている位置関係にならない場合がある。
【０００４】
この位置を調整する手法としては、例えば、特開２０００−１５１９２５号に開示されているように、ＡＤＦ搬送ローラ（プラテンローラ）の近傍で光走査部を順次停止させて搬送ローラに光を照射し、その反射光を原稿読取装置本体内のＣＣＤイメージセンサなどの光電変換手段により読取り、反射光が最大となった上記停止位置を原稿読取位置とする手法が知られている。
【０００５】
【発明が解決しようとしている課題】
しかしながら、上記従来の手法では、プラテンローラの汚れ、原稿読取装置本体の電気的なノイズ等の要因により原稿読取位置を誤検出してしまう可能性があり、原稿読取時の画像先端ズレ、ピンボケ等の画像劣化を招く場合があった。
【０００６】
さらに、ＡＤＦプラテンローラの近傍で光走査部を順次停止させてプラテンローラに光を照射し、その反射光をＣＣＤにより読取った時に、反射光の量がどの停止位置でも変化が少ない場合、誤検出する確率が大きくなる。
【０００７】
【課題を解決するための手段】
本発明は、上記課題を解決するためになされたものであり、請求項１に記載の画像読取装置は、原稿を光学的に走査する光走査手段と、前記光走査手段の位置を移動させる移動手段と、前記光走査手段により得られた光学像を光電変換する光電変換手段と、前記原稿を搬送するプラテンローラと、前記プラテンローラと近接して配置されたシート部材と、前記移動手段により前記光走査手段の位置を移動させながら前記シート部材を走査し、前記光電変換手段により読取ることで前記シート部材の端部位置を検出する検出手段と、前記光走査手段を停止させた状態で前記プラテンローラにより搬送される前記原稿を前記光電変換手段により読取る場合の前記光走査手段の停止位置を、前記検出手段の検出結果に基づいて設定する設定手段と、を備えたことを特徴とする。
【０００８】
請求項６に記載の制御プログラムは、原稿を光学的に走査する光走査手段と、前記光走査手段の位置を移動させる移動手段と、前記光走査手段により得られた光学像を光電変換する光電変換手段と、前記原稿を搬送するプラテンローラと、前記プラテンローラと近接して配置されたシート部材とを備えた画像読取装置を制御するための制御プログラムであって、前記移動手段により前記光走査手段の位置を移動させながら前記シート部材を走査し、前記光電変換手段により読取ることで前記シート部材の端部を検出する検出ステップと、前記光走査手段を停止させた状態で前記プラテンローラにより搬送される前記原稿を前記光電変換手段により読取る場合の前記光走査手段の停止位置を、前記検出手段の検出結果に基づいて設定する設定ステップと、を有することを特徴とする。
【０００９】
【発明の実施の形態】
（第１の実施形態）
以下、本発明の実施形態について、図面を参照しながら説明する。
【００１０】
図１は、本発明を適用した画像読取装置の概略構成を示す断面図であり、本画像読取装置は画像読取装置１００、この画像読取装置１００に対して着脱自在に構成されたＡＤＦ２００を有している。また、図２は、画像読取装置１００の読取部の上視図、図３は、画像読取装置１００の流し読み部の詳細断面図である。
【００１１】
ＡＤＦ２００は、給紙トレー２０５にセットされた原稿を搬送ローラ２０３，２０４により、画像読取装置１００の流し読みガラス１２２に搬送し、回収する。この際、原稿は、ＡＤＦ２００に取り付けられたプラテンローラ２０１と画像読取装置１００の流し読みガラス１２２との間を通過し、その通過過程で画像読取装置１００内のコンタクトイメージセンサ（以下、ＣＩＳと記載）１１０により光学的に走査されて原稿画像情報が読取られる。
【００１２】
図３に示すように、画像読取装置１００に内蔵されたＣＩＳ１１０は、原稿面に対して光を照射するランプ１１１、前記ランプ１１１により照射された原稿からの反射光（又は透過光）を光電変換手段であるイメージセンサ１１３に導くためのレンズ１１２、及び前記イメージセンサ１１３を有し、それぞれがケーシング１１４の内部に一体に収められている。
【００１３】
また、図２に示すように、ＣＩＳ１１０は、タイミングベルト１２６によってモータ１２５と結ばれ、モータ１２５の回転駆動により原稿台ガラス１２１及び流し読みガラス１２２と平行に移動する。ポジションセンサ１２４は、ＣＩＳ１１０のホームポジション位置を検知するためのセンサであり、ポジションセンサ１２４の位置を基準としてモータ１２５を正転、逆転することによりＣＩＳ１１０を移動し、原稿台ガラス１２１又は流し読みガラス台１２２上の原稿を光学的に走査する。
【００１４】
モータ１２５は、ステッピングモータにより構成されている。このモータ１２５にはエンコーダ４０２（図４参照）が接続されており、このエンコーダ４０２に出力により、ＣＩＳ１１０が何パルス分移動したかを認識できるようになっている。換言すれば、ポジションセンサ１２４の検出出力とエンコーダ４０２からのエンコーダパルスにより、ＣＩＳ１１０の位置を検知することができる。
【００１５】
原稿からの反射光（又は透過光）は、セルフォックレンズ１１２によって導かれ、イメージセンサ１１３に集光される。イメージセンサ１１３は、原稿情報を反映した上記反射光を光電変換し、電子的な画像信号として出力する。
【００１６】
このような構成のもとで、本実施形態の原稿読取装置は、ＣＩＳ１１０を原稿読取位置に停止させた状態で、ＡＤＦ２００により原稿を搬送させながら原稿画像情報を読取るＡＤＦ原稿読取（流し読み）モードと、原稿を原稿台ガラス１０６上に固定的に載置して、ＣＩＳ１１０を副走査方向に移動させながら原稿情報を読取る原稿ガラス台原稿読取（固定読み）モードの２つのモードで原稿情報を読取ることが出来る。
【００１７】
図３は、本実施形態で使用するＣＩＳ１１０近傍の構成を示す図である。本実施形態のＡＤＦ２００は、プラテンローラ２０１の原稿搬送方向の上流側に、前記プラテンローラ２０１と近接して配置された白色のシート部材２１０を備えている。白色シート部材２１０としては、例えば、マイラー（帝人デュポンフィルム社の商品名）などのポリエステルフィルムが用いられる。この白色シート部材２１０は、流し読みガラス１２２と略平行に配置されている。なお、白色シート部材としては、ポリエステルフィルム以外の部材（例としては、白い紙）を用いてもかまわない。
【００１８】
また、プラテンローラ２０１に最も近接する白色シート部材２１０の先端位置２１１は、プラテンローラ２０１と接触しないように、若干離して配置される。ここで、ＣＩＳ１１０の読取り方向（すなわち、流し読みガラス１２２に垂直な方向）において、ＣＩＳ１１０側からプラテンローラ２０１及び白色シート部材２１０を見た場合に、ＣＩＳ１１０の主走査方向における画像読取り範囲の略全域において、白色シート部材２１０によりプラテンローラ２０１表面の一部が隠れるような位置に、白色シート部材２１０が配置される。
【００１９】
ＡＤＦ原稿読取（流し読み）モード時には、原稿が搬送されていない場合に、プラテンローラ２０１表面の白色シート部材２１０で覆われていない部分をＣＩＳ１１０により読取ることのできる位置に、ＣＩＳ１１０の読取位置（停止位置）が設定される。なお、白色シート部材２１０の先端位置２１１が、プラテンローラ２０１に接触するように配置してもかまわない。
【００２０】
ここで、本実施形態の白色シート部材２１０を設けたことによる輝度低下の軽減効果を、図３及び図４を用いて説明する。図４は、白色シート部材２１０を設けていない画像読取装置１００の流し読み部の断面図である。図３及び図４では、原稿搬送方向の上流側（図面左側）にある照明手段１１１から照射され、原稿３０２を透過した光の経路を模式的に示してある。また、流し読みモードで読取りを行なう場合に、プラテンローラ２０１中心直下より原稿搬送方向の上流側にずれた位置において読取る例について示している。
【００２１】
図３において、原稿３０２を透過した光は、白色シート部材２１０によりＣＩＳ１１０の方向に反射される。これに対し図４では、白色シート部材２１０が設けられていないため、原稿３０２を透過した光はプラテンローラ２０１によってＣＩＳ１１０が存在しない方向に反射されてしまう。図３のように、白色シート部材２１０を設けたことによって、より多くの光が原稿３０２を裏面から照射していることがわかる。このように白色シート部材２１０を設けることにより、流し読みモードにおける読取り位置が、プラテンローラ２０１中心直下から原稿搬送方向の上流側に離れた場合の輝度低下を軽減することができる。
【００２２】
図５は、本実施形態における画像読取装置の制御系の概略構成を示すブロック図である。本画像読取装置は、原稿を搬送するためのプラテンローラ２０１、給紙ローラ２０２、搬送ローラ２０３，２０４を各々回転駆動するローラモータ３００、ＣＩＳ１１０を副走査方向に移動させるモータ１２５、原稿に光を照射するランプ１１１、原稿からの反射光（又は透過光）を光電変換するイメージセンサ１１３、イメージセンサ１１３の出力信号をＡ／Ｄ変換するＡ／Ｄ変換回路４０１、モータ１２５に接続されたエンコーダ４０２、ＣＩＳ１１０をホームポジションに位置決めするためのポジションセンサ１２４、ＡＤＦ原稿読取（流し読み）モードにおける正規の原稿読取位置を設定するためのバックアップＲＡＭ４０３、装置全体を制御するスキャナコントローラ４０４を有している。なお、スキャナコントローラ４０４は、後述するフローチャートを実行するためのプログラム等の各種プログラムが格納されたＲＯＭ４０５を含んでいる。
【００２３】
スキャナコントローラ４０４は、ポジションセンサ１２４の検出出力とエンコーダ４０２からのエンコーダパルスに基づいてＣＩＳ１１０の位置を検知するとともに、Ａ／Ｄ変換回路４０１によってデジタル化されたＣＣＤイメージセンサ１１３の出力信号に基づいて白色シート部材２１０のエッジ位置を検知し、検知した白色シート部材２１０のエッジ位置から所定距離移動した位置をＡＤＦ原稿読取モードにおける正規の原稿読取位置としてバックアップＲＡＭ４０３に保存（設定）する。
【００２４】
このＡＤＦ原稿読取モードにおける原稿読取位置の検知、設定動作は、ＡＤＦ２００が画像読取装置１００に取り付けられた際に行っても、ＡＤＦ原稿読取モードでの読取動作をオペレータからの指示される毎に行っても良く、或いは本画像読取装置の電源が投入された際に行っても良い。何れの場合でも、１枚１枚の原稿を読取る毎に、それら各原稿の読取り動作に先立って、その都度原稿読取位置検知・設定を行うわけではないので、迅速に原稿読取を行うことが可能である。
【００２５】
原稿読取位置の検知・設定のタイミングは、オペレータが任意に選択できるようにするのが望ましい。例えば、所定のキーを操作することにより、任意のタイミングで原稿読取位置の検知・設定を実行させることも可能である。このように構成することで、ＡＤＦ２００を手で触れた場合に、ＡＤＦ２００と画像読取装置１００との接続機構が位置ズレを引き起こす可能性がある場合等に特に有効となる。
【００２６】
次に、ＡＤＦ原稿読取（流し読み）モードにおける原稿読取位置（ＣＩＳ１１０の停止位置）の検知・設定処理を、図６のフローチャートに基づいて説明する。スキャナコントローラ４０４は、ＲＯＭ４０５に格納されたプログラムに従ってこのフローチャートを実行する。
【００２７】
まず、モータ１２５を駆動制御することにより、ホームポジションセンサ１２４により検出されたホームポジション位置にＣＩＳ１１０が位置する状態から予め設定されたパルス数分、プラテンローラ２０１の方向に（すなわち図１、図３の左方向に向かって）ＣＩＳ１１０が白色シート部材２１０を読取ることのできる位置までＣＩＳ１１０を移動させた後、停止させる（ステップＳ１）。
【００２８】
次に、スキャナコントローラ４０４は、ランプ１１１を点灯させてプラテンローラ２０１及び白色シート部材２１０を照射し（ステップＳ２）、イメージセンサ１１３により読取らせる。イメージセンサ１１３から出力され、Ａ／Ｄ変換回路４０１にてデジタル信号に変換された信号を読取る（ステップＳ３）。そして、その１ライン分のデータにおける主走査方向中央付近のｎ画素を平均し、その検知ポイントとリンクさせて保存する（ステップＳ４）。
【００２９】
そして、モータ１２５にｍパルス供給することで、ＣＩＳ１１０を原稿搬送部の下流側へ（図１、図３の右方向に向かって）移動させ（ステップＳ５）、移動したポイントが検知終了ポイントでなければ（ステップＳ６）、ステップＳ３に戻り、同様にステップＳ４、Ｓ５を実行する。ステップＳ６において検知終了ポイントまで達している場合には、ランプ１１１を消灯する（ステップＳ７）。
【００３０】
図７は、ステップＳ４において保存されているデータ、すなわちイメージセンサ１１３から出力された主走査ｎ画素分のデータを平均し、検知ポイントとリンクさせたデータを示す図である。このデータの中から最小値（ＭＩＮ値）を検出し（ステップＳ８）、ＭＩＮ値が検出された位置から原稿搬送部上流側で部材先端検出用閾値（閾値１）を超える位置を検出する。そして、その検出ポイントを部材先端位置Ｙ１とする（ステップＳ９）。
【００３１】
ここで、部材先端位置Ｙ１から原稿読取位置Ｙまでの距離Ｘ１は予め設定されており、検出された部材先端位置Ｙ１と予め設定された距離Ｘ１とを用いて原稿読取位置ＹをＹ＝Ｙ１−Ｘ１の式より求め、バックアップＲＡＭ４０３に保存することでＡＤＦ原稿読取（流し読み）モードにおける原稿読取位置（ＣＩＳ１１０の停止位置）の設定処理を終了する（ステップＳ１０）。原稿読取位置ＹをＹ＝Ｙ１−Ｘ１のＹ、Ｙ１はＨＰセンサを基準とした値である。
【００３２】
このように、白色シート部材２１１の先端を検出することによって、原稿読取位置Ｙを設定することで、副走査方向の読取位置によってプラテンローラ２０１からの反射光量の変化が少ない場合であっても、適切に原稿読取位置Ｙを設定することが出来、原稿読取時の画像先端ズレやピンボケ等の画像劣化を防止することが出来る。
【００３３】
なお、先端検出時の行うときの移動方向は検知スタートポイントと検知終了ポイントをいれかえて、上記の逆方向にスキャンしてもよい。
【００３４】
（第２の実施形態）
図８は、ＡＤＦ原稿読取（流し読み）モードにおける原稿読取位置（ＣＩＳ１１０の停止位置）の検知・設定処理を実行する第２の実施形態のフローチャートである。スキャナコントローラ４０４は、ＲＯＭ４０５に格納されたプログラムに従ってこのフローチャートを実行する。なお、原稿読取装置の構成は第１の実施形態と同じであるため、説明を省略する。
【００３５】
まず、モータ１２５を駆動制御することにより、ホームポジションセンサ１２４により検出されたホームポジション位置にＣＩＳ１１０が位置する状態から予め設定されたパルス数分、プラテンローラ２０１の方向に（すなわち図１、図３の左方向に向かって）ＣＩＳ１１０が白色シート部材２１０を読取ることのできる位置までＣＩＳ１１０を移動させた後、停止させる（ステップＳ１）。
【００３６】
次に、スキャナコントローラ４０４は、ランプ１１１を点灯させてプラテンローラ２０１及び白色シート部材２１０を照射し（ステップＳ２）、イメージセンサ１１３により読取らせる。イメージセンサ１１３から出力され、Ａ／Ｄ変換回路４０１にてデジタル信号に変換された信号を読取る（ステップＳ３）。そして、その１ライン分のデータにおける主走査方向中央付近のｎ画素を平均し、その検知ポイントとリンクさせて保存する（ステップＳ４）。
【００３７】
そして、モータ１２５にｍパルス供給することでＣＩＳ１１０を原稿搬送部下流側へ（図１、図３の右方向に向かって）移動させ（ステップＳ５）、移動したポイントが検知終了ポイントでなければ（ステップＳ６）、ステップＳ３に戻り、同様にステップＳ４、Ｓ５を実行する。ステップＳ６において検知終了ポイントまで達している場合には、ランプ１１１を消灯する（ステップＳ７）。
【００３８】
図９は、ステップＳ４において保存されているデータ、すなわちイメージセンサ１１３から出力された主走査ｎ画素分のデータを平均し、検知ポイントとリンクさせたデータを示す図である。このデータの中から最小値（ＭＩＮ値）を検出し（ステップＳ８）、ＭＩＮ値が検出された位置から原稿搬送部上流側で部材先端検出用閾値（閾値１）を超えた値を検出する。そして、その検知ポイントを部材先端位置Ｙ１とする（ステップＳ９）。
【００３９】
次に、検出したＭＩＮ値の上流側、下流側それぞれにおいて、白色シート部材２１０とプラテンローラ２０１間の距離検出用閾値（閾値２）以下の区間を検知し、白色シート部材先端位置Ｙ１からプラテンローラ２０１の白色シート側端部位置Ｙ２までの距離Ｘ２を検出する（ステップＳ１０）。
【００４０】
ここで、プラテンローラ２０１の白色シート部材側端部位置Ｙ２から原稿読取位置Ｙまでの距離Ｘ３は予め設定されており、検出された部材先端位置Ｙ１と、Ｙ１からプラテンローラ２０１の端部位置Ｙ２までの距離Ｘ２とを用いて原稿読取位置ＹをＹ＝Ｙ１−Ｘ２−Ｘ３の式より求め、バックアップＲＡＭ４０３に保存することでＡＤＦ原稿読取（流し読み）モードにおける原稿読取位置（ＣＩＳ１１０の停止位置）の設定処理を終了する（ステップＳ１１）。
【００４１】
原稿読取位置ＹをＹ＝Ｙ１−Ｘ２−Ｘ３のＹ、Ｙ１はＨＰセンサを基準とした時の値である。
【００４２】
なお、ここでは、部材先端検出用の閾値１と距離検出用の閾値２は同じ値であるものとして説明したが、異なる閾値を設定するようにしてもかまわない。
【００４３】
また、先端検出時の行うときの移動方向は検知スタートポイントと検知終了ポイントをいれかえて、上記の逆方向にスキャンしてもよい。
【００４４】
（第３の実施形態）
上記した各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４６】
本発明を上記記憶媒体に適用する場合、その記憶媒体には、先に説明したフローチャートに対応するプログラムコードが格納されることになる。
【００４７】
【発明の効果】
以上説明したように、本発明によれば、プラテンローラの汚れや原稿読取装置本体の電気的なノイズ等に左右されること無く、また、プラテンローラを光走査手段で走査した際に、反射光量の変化が少ない場合でも、光走査手段の停止位置（原稿読取位置）を適切に設定することが可能になる。
【図面の簡単な説明】
【図１】本発明の実施形態における画像読取装置の概略構成を示す図である。
【図２】本発明の実施形態における画像読取装置の読取部の上視図である。
【図３】本発明の実施形態における画像読取装置の流し読み部の詳細断面図である。
【図４】従来の画像読取装置の流し読み部の詳細断面図である。
【図５】図１の画像読取装置における制御系の構成を示すブロック図である。
【図６】本発明の第１の実施形態による原稿読取位置の設定処理を示すフローチャートである。
【図７】第１の読取位置検知方法を説明するための読取信号を示す図である。
【図８】本発明の第２の実施形態による原稿読取位置の設定処理を示すフローチャートである。
【図９】第２の読取位置検知方法を説明するための読取信号を示す図である。
【符号の説明】
１００　画像読取装置
１１０　コンタクトイメージセンサ（ＣＩＳ）
１１１　キセノン管
１１２　セルフォック・レンズ・アレイ
１１３　イメージセンサ
１１４　ケーシング
１２１　原稿台ガラス
１２２　流し読みガラス
１２３　ジャンプ台
１２４　ポジションセンサ
１２５　モータ
１２６　ベルト
２００　ＡＤＦ
２０１　プラテンローラ
２０２　給紙ローラ
２０３　搬送ローラ
２０４　搬送ローラ
２０５　給紙トレー
２０６　排紙トレー
２１０　白色シート部材
２１１　白色シート部材先端位置
【図１】
2004023276.tif 000003
【図２】
2004023276.tif 000004
【図３】
2004023276.tif 000005
【図４】
2004023276.tif 000006
【図５】
2004023276.tif 000007
【図６】
2004023276.tif 000008
【図７】
2004023276.tif 000009
【図８】
2004023276.tif 000010
【図９】
2004023276.tif 000011